(57)【特許請求の範囲】
【請求項１】
ＦＰＣを挿入自在に一方の端部を開口したＦＰＣ収容室を内部に有し、前記ＦＰＣ収容室に向かって窪んだ凹部を上面に有する平板状のハウジングと、
このハウジングのＦＰＣ収容室の内部に配列され、前記ＦＰＣと電気的に接続自在な複数のコンタクトと、
断面を略Ｕ字状に形成し、前記ハウジングの他方の端部の上面を部分的に覆う上面板、及び、前記ハウジングの底面を覆う下面板を有する金属シェルと、
前記ハウジングの凹部を開閉自在な略矩形の主面板を有し、長手方向に沿って密着曲げした重ね板を前記主面板の一方の端部に有する金属カバーと、を備え、
前記金属カバーは、前記主面板の他方の端部に配置され、相反する向きに突出する一対の円筒状の回動軸を有し、
前記下面板は、一対の前記回動軸を回動自在に支持する一対の支持片を両側部に有し、
一対の前記回動軸は、前記ハウジングの厚さを超えることなく、前記ハウジングの厚さ方向の略中間部に支持されている、ＦＰＣ用コネクタ。
【請求項２】
前記ハウジングは、
前記ＦＰＣ収容室の開口の両端部を囲う一対の厚肉部と、
前記ＦＰＣ収容室の開口の前縁から逃げる略矩形の切り欠き部と、を有する請求項１記載のＦＰＣ用コネクタ。
【請求項３】
前記コンタクトは、
前記ＦＰＣ収容室の内部に配置され、前記ＦＰＣの導体パターンに接触自在な接点と、
前記ハウジングの基端部に配置され、プリント基板にハンダ接合自在な第１リード部と、を有する、請求項１又は２記載のＦＰＣ用コネクタ。
【請求項４】
一対の前記支持片は、プリント基板にハンダ接合自在な第２リード部を他端部に少なくとも有する、請求項１から３のいずれかに記載のＦＰＣ用コネクタ。
【請求項５】
前記金属シェル及び前記金属カバーは、前記ＦＰＣ収容室を電磁遮蔽している、請求項１から４のいずれかに記載のＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルを硬質のプリント基板（いわゆる、リジッド基板）に電気的に接続させるためのコネクタに関する。本明細書は、平形柔軟ケーブルを総称してＦＰＣと呼称し、本発明は、特に、ＦＰＣの端末に露出された導体パターンをプリント基板と略平行な水平方向から着脱自在なＦＰＣ用コネクタの構造に関する。
【背景技術】
【０００２】
ＦＰＣは、電子部品を実装でき、柔軟性を有するプリント基板として使用できる。又、ＦＰＣは、可撓性を有すると共に薄型化できる。近年では、複数の電線を絶縁被覆して集合したフラットケーブルに換えて、複数の導体パターンを平面上に配置したフレキシブルケーブルとして、携帯電話機の内部又はパソコンの内部に使用している。
【０００３】
ＦＰＣとプリント基板を電気的に接続するＦＰＣ用コネクタとしては、ハウジングの内部に挿入されたＦＰＣをコンタクトの接点に押圧自在なカバーハウジングを確実に軸支できるＦＰＣ用コネクタが開示されている（例えば、特許文献１参照）。
【０００４】
又、ＦＰＣとプリント基板を電気的に接続するＦＰＣ用コネクタとしては、複数のコンタクトを配列したハウジングと、ハウジングに片持ち支持され、ＦＰＣをコンタクトに押圧する金属板からなるシェルと、を備え、ＦＰＣとの接続作業が容易なＦＰＣ用コネクタが開示されている（例えば、特許文献２参照）。
【０００５】
更に、ＦＰＣとプリント基板を電気的に接続するＦＰＣ用コネクタとしては、ＦＰＣを挿入自在な凹部を開口したハウジングと、ハウジングの内部に配列した複数のコンタクトと、凹部を開閉自在なカバーハウジングと、ハウジングの両側部に保持された一対の補強部材と、を備え、一方の補強部材は、凹部に挿入したＦＰＣを引き回したときにカバーハウジングに干渉しないように、ＦＰＣを保持する突出片を有しているＦＰＣ用コネクタが開示されている（例えば、特許文献３参照）。
【先行技術文献】
【特許文献】
【０００６】
【特許文献１】特開２０１０−１１８１７１号公報
【特許文献２】特開２０１３−１８７１３６号公報
【特許文献３】特開２００４−２２２８６号公報
【発明の概要】
【発明が解決しようとする課題】
【０００７】
図１３は、第１の従来技術によるＦＰＣ用コネクタの構成を示す縦断面図である。なお、本願の図１３は、特許文献１の図３に相当している。
【０００８】
図１３を参照すると、第１の従来技術によるＦＰＣ用コネクタ（以下、コネクタと略称する）７は、直方体状のハウジング７１と平板状のカバーハウジング７２を備えている。又、コネクタ７は、複数の第１コンタクト７３と複数の第２コンタクト７４を備えている。第１コンタクト７３と第２コンタクト７４とは、ハウジング７１に交互に配列されている。
【０００９】
図１３を参照すると、ハウジング７１は、ＦＰＣ７ｆを挿入自在な凹部７０を有している。カバーハウジング７２は、複数の軸受部７２ｓを一端部に連設している。これらの軸受部７２ｓは、第１コンタクト７３の第１アーム７３１の先端部と回転自在に連結している。又、これらの軸受部７２ｓは、第２コンタクト７４の第１アーム７４１の先端部と回転自在に連結している。そして、カバーハウジング７２は、その他端部側を開閉できる。
【００１０】
図１３を参照すると、第１コンタクト７３は、凹部７０に延在する第２アーム７３２を有している。第２アーム７３２は、接点７３ｓを先端部側に有している。同様に、第２コンタクト７４は、凹部７０に延在する第２アーム７４２を有している。第２アーム７４２は、接点７４ｓを中央部に有している。
【００１１】
図１３を参照して、カバーハウジング７２を開いた状態では、ＦＰＣ７ｆをハウジング７１の凹部７０に挿入できる。一方、カバーハウジング７２を閉じた状態では、接点７３ｓ及び接点７４ｓに向けて、ＦＰＣ７ｆを押圧できる。そして、ＦＰＣ７ｆの導体と接点７３ｓ及び接点７４ｓを確実に接触できる。
【００１２】
特許文献１によるコネクタ７は、カバーハウジング７２の一端部が複数の第１コンタクト７３及び第２コンタクト７４に軸支されているので、ＦＰＣ７ｆの極数が多い場合であっても、カバーハウジング７２の中央部の撓みを抑制できる、としている。そして、これにより、特許文献１によるコネクタ７は、ＦＰＣ７ｆと複数の第１コンタクト７３及び第２コンタクト７４を確実に接続できる、としている。
【００１３】
図１４は、第２の従来技術によるＦＰＣ用コネクタの構成を示す斜視図であり、ＦＰＣを挿入する前の状態図である。又、図１５は、第２の従来技術によるＦＰＣ用コネクタに備わるシェルの構成を示す斜視図である。なお、本願の図１４と図１５は、特許文献２の図１と図４に相当している。
【００１４】
図１４又は図１５を参照すると、第２の従来技術によるＦＰＣ用コネクタ（以下、コネクタと略称する）８は、直方体状のハウジング８１と金属板からなるシェル８２を備えている。ハウジング８１は、ＦＰＣ８ｆが移動自在な凹部８０を有している。又、ハウジング８１は、複数のコンタクト８３を凹部８０に配列している。そして、コネクタ８は、プリント基板８ｐに実装できる（図１４参照）。
【００１５】
図１４又は図１５を参照すると、シェル８２は、ハウジング８１に片持ち支持されている。シェル８２は、主面板８２ｍを有するシェル本体８２１と一対のロックアーム８２２・８２２を備えている。シェル本体８２１は、ＦＰＣ８ｆの端末を内部に保持できる。又、シェル本体８２１は、主面板８２ｍの基端部を一対のロックアーム８２２・８２２に溶接などで接合している。
【００１６】
図１４を参照すると、一対のロックアーム８２２・８２２は、それらの基端部をハウジング８１に圧入している。又、図１５を参照すると、一対のロックアーム８２２・８２２は、ロック爪８２ｎを先端部側に設けている。一方、シェル本体８２１は、ロック爪８２ｎが係合自在な一対の係止穴８２ｈ・８２ｈを主面板８２ｍの両端部に開口している。又、一対のロックアーム８２２・８２２は、Ｕ字状に反転した反転片８２ａを先端部に備えている。
【００１７】
図１４に示すように、シェル本体８２１が上向きに傾いた状態では、ＦＰＣ８ｆの端末をシェル本体８２１の内部に挿入できる。次に、凹部８０の底面に向って、シェル本体８２１を雌伏することで、ＦＰＣ８ｆの導体とコンタクト８３を電気的に接続できる。
【００１８】
図１４を参照して、シェル本体８２１を雌伏させた状態では、ロック爪８２ｎが係止穴８２ｈに係合しているので（図１５参照）、シェル本体８２１の復帰を防止できる。一方、一対のロックアーム８２２・８２２の先端部を互いに外側に拡げることで、ロック爪８２ｎと係止穴８２ｈとの係合が解除され、シェル本体８２１を復帰できる。そして、シェル本体８２１からＦＰＣ８ｆを引き抜くことができる。
【００１９】
又、図１４を参照して、シェル本体８２１を雌伏させた状態では、ＦＰＣ８ｆの端末の両側に突出した一対の凸片８ｅ・８２ｅが一対の反転片８２ａ・８２ａに係止するので、ＦＰＣ８ｆの不用意な引き抜きを防止できる。
【００２０】
このように、特許文献２によるコネクタ８は、ＦＰＣとの接続作業が容易であり、ＦＰＣを確実に保持できる、としている。
【００２１】
図１６は、第３の従来技術によるＦＰＣ用コネクタの構成を示す縦断面図である。図１７は、第３の従来技術によるＦＰＣ用コネクタの構成を示す斜視図であり、ＦＰＣを挿入した直後の状態図である。図１８は、第３の従来技術によるＦＰＣ用コネクタの構成を示す斜視図であり、ＦＰＣを奥部まで挿入した状態図である。図１８は、第３の従来技術によるＦＰＣ用コネクタの構成を示す斜視図であり、カバーハウジングを開いた状態図である。図１９は、第３の従来技術によるＦＰＣ用コネクタの構成を示す斜視図であり、ＦＰＣを挿入して、カバーハウジングを閉じた状態図である。
【００２２】
なお、本願の図１６と図１７は、特許文献３の図２と図３に相当している。又、本願の図１８と図１９は、特許文献３の図４と図５に相当している。
【００２３】
図１６から図１９を参照すると、第３の従来技術によるＦＰＣ用コネクタ（以下、コネクタと略称する）９は、直方体状のハウジング９１と平板状のカバーハウジング９２を備えている。又、コネクタ９は、複数の板状のコンタクト９３と一対の補強部材９４・９５を備えている。
【００２４】
図１６から図１８を参照すると、ハウジング９１は、ＦＰＣ９ｆを挿入自在な凹部９０を有している。カバーハウジング９２は、その一端部側が複数のコンタクト９３の一部と回動自在に連結し、他端部側を開閉自在に構成している（図１６参照）。
【００２５】
図１６を参照すると、コンタクト９３は、ハウジング９１の内部に保持されている。コンタクト９３は、基端部から凹部９０に向かって延出した第１アーム９３１と第２アーム９３２を有している。又、コンタクト９３は、第１アーム９３１及び第２アーム９３２と反対側に延出したリード部９３３を有している。リード部９３３の底面を図示しないプリント基板にハンダ接合でき、コネクタ９を図示しないプリント基板に表面実装できる。
【００２６】
図１６を参照すると、第１アーム９３１は、カバーハウジング９２の一端部側に形成したカム部９２ｃに係合する押え部９３ｐを先端部に有している。カム部９２ｃは、カバーハウジング９２が開いた状態、又は、カバーハウジング９２が閉じた状態を維持できるように、押え部９３ｐに係合している。
【００２７】
図１６を参照すると、第２アーム９３２は、接点９３ｓを先端部に有している。接点９３ｓは、ＦＰＣ９ｆの端末に形成された導体に接触できる。
【００２８】
図１７又は図１８を参照して、カバーハウジング９２を開いた状態では、ＦＰＣ９ｆをハウジング９１の凹部９０に挿入できる。一方、図１６又は図１９を参照して、カバーハウジング９２を閉じた状態では、接点９３ｓに向けて、ＦＰＣ９ｆを押圧できる。
【００２９】
図１７から図１９を参照すると、一対の補強部材９４・９５は、ハウジング９１の両側部に固定している。一対の補強部材９４・９５は、これらの底面を図示しないプリント基板にハンダ接合できる。そして、一対の補強部材９４・９５は、コネクタ９と図示しないプリント基板との接合強度を補強している。
【００３０】
図１７から図１９を参照すると、一方の補強部材９４は、凹部９０に向かって突出する突出片９４１を有している。一方、カバーハウジング９２は、矩形の切り欠き９２１を端部の角部に切り欠いている。これにより、カバーハウジング９２を閉じたときに、突出片９４１との干渉を回避できる。
【００３１】
図１７から図１９を参照して、突出片９４１が凹部９０に向かって突出しているので、突出片９４１と凹部９０の底面の間にＦＰＣ９ｆを挿入でき、ＦＰＣ９ｆを案内できる。
【００３２】
又、図１９を参照して、突出片９４１が凹部９０に向かって突出しているので、カバーハウジング９２を閉じた状態で、ＦＰＣ９ｆを上方に引き回しても、カバーハウジング９２との干渉を回避できる。つまり、特許文献３によるコネクタ９は、カバーハウジング９２が閉じた状態を維持できる。
【００３３】
ＦＰＣからプリント基板に、又は、プリント基板からＦＰＣに伝送する信号は、高速化している。このため、ＦＰＣ用コネクタは、コンタクトから電磁波が漏洩しないように、又は、コンタクトに不要な電磁波を誘導しないように、シールドする必要がある。又、この高速信号の信号数も多くなっている。つまり、ＦＰＣ用コネクタは、多極化している。
【００３４】
図１３を参照すると、特許文献１によるコネクタ７は、カバーハウジング７２でＦＰＣ７ｆを押圧しているが、ＦＰＣ７ｆの極数が多くなると、つまり、コンタクトの極数が多くなると、コンタクトの反力でカバーハウジング７２の中央部が撓む心配がある。
【００３５】
このため、図１３を参照すると、特許文献１によるコネクタ７は、カバーハウジング７２の板厚を厚くして、カバーハウジング７２の中央部の撓みを抑制している。しかし、特許文献１によるコネクタ７は、絶縁性を有する合成樹脂でカバーハウジング７２を構成しているので、カバーハウジング７２は相当の厚さを必要としていた。そして、このことがＦＰＣ用コネクタの低背化（実装高さを低くすること）を困難にしていた。
【００３６】
一方、図１４又は図１５を参照すると、特許文献２によるコネクタ８は、金属板からなるシェル本体８２１でＦＰＣ８ｆを押圧しているので、特許文献１によるコネクタ７と比べて、ＦＰＣ用コネクタの低背化を実現できる。
【００３７】
しかし、図１４又は図１５を参照すると、特許文献２によるコネクタ８は、コンタクト８３の極数が多くなると、シェル本体８２１の板厚を厚くする必要がある。一方、特許文献２によるコネクタ８は、シェル本体８２１の基端部の弾性変形を利用しているので、シェル本体８２１の板厚を厚くすると、シェル本体８２１の仰角を小さくする必要がある。シェル本体８２１の仰角を大きくすると、復帰力が大きくなって、シェル本体８２１のロックが困難になると考えられるからである。
【００３８】
このように、図１４又は図１５を参照して、特許文献２によるコネクタ８は、コンタクト８３の極数が多くなると、ＦＰＣの着脱が容易でなくなる心配がある。ＦＰＣの着脱が容易であり、低背化を実現できるＦＰＣ用コネクタが求められている。
【００３９】
図１６から図１９を参照して、特許文献３によるコネクタ９は、ＦＰＣの引き回しに起因する、カバーハウジング９２の不要な動作を防止できる。しかし、特許文献３によるコネクタ９は、金属板からなる突出片９４１が凹部９０に露出しているので、ＦＰＣを着脱するときに、手などを傷つける心配がある。ＦＰＣをＦＰＣ用コネクタに着脱するときに、安全なＦＰＣ用コネクタが求められている。そして、以上のことが本発明の課題といってよい。
【００４０】
本発明は、このような課題に鑑みてなされたものであり、ＦＰＣとプリント基板を電気的に接続するＦＰＣ用コネクタであって、高周波信号の伝送に適合し、ＦＰＣの着脱が安全かつ容易であり、低背化したＰＣ用コネクタを提供することを目的とする。
【課題を解決するための手段】
【００４１】
本発明者は、ＦＰＣを挿入自在なＦＰＣ収容室を内部に有するハウジングと、ハウジングの内部に配列された複数のコンタクトと、ハウジングの上面を覆う上面板、及び、ハウジングの底面を覆う下面板を有する金属シェルと、ハウジングの上面の凹部を開閉自在な主面板を有する金属カバーでＦＰＣ用コネクタを構成し、金属カバーの両側部から突出する一対の回動軸をハウジングの厚さ方向の略中間部に支持することで、ＦＰＣ用コネクタを低背化できると考え、これに基づいて、以下のような新たなＦＰＣ用コネクタを発明するに至った。
【００４２】
（１）  ＦＰＣを挿入自在に一方の端部を開口したＦＰＣ収容室を内部に有し、前記ＦＰＣ収容室に向かって窪んだ凹部を上面に有する平板状のハウジングと、このハウジングのＦＰＣ収容室の内部に配列され、前記ＦＰＣと電気的に接続自在な複数のコンタクトと、断面を略Ｕ字状に形成し、前記ハウジングの他方の端部の上面を部分的に覆う上面板、及び、前記ハウジングの底面を覆う下面板を有する金属シェルと、前記ハウジングの凹部を開閉自在な略矩形の主面板を有し、長手方向に沿って密着曲げした重ね板を前記主面板の一方の端部に有する金属カバーと、を備え、前記金属カバーは、前記主面板の他方の端部に配置され、相反する向きに突出する一対の円筒状の回動軸を有し、前記下面板は、一対の前記回動軸を回動自在に支持する一対の支持片を両側部に有し、一対の前記回動軸は、前記ハウジングの厚さを超えることなく、前記ハウジングの厚さ方向の略中間部に支持されている、ＦＰＣ用コネクタ。
【００４３】
（２）  前記ハウジングは、前記ＦＰＣ収容室の開口の両端部を囲う一対の厚肉部と、前記ＦＰＣ収容室の開口の前縁から逃げる略矩形の切り欠き部と、を有する（１）記載のＦＰＣ用コネクタ。
【００４４】
（３）  前記コンタクトは、前記ＦＰＣ収容室の内部に配置され、前記ＦＰＣの導体パターンに接触自在な接点と、前記ハウジングの基端部に配置され、プリント基板にハンダ接合自在な第１リード部と、を有する、（１）又は（２）記載のＦＰＣ用コネクタ。
【００４５】
（４）  一対の前記支持片は、プリント基板にハンダ接合自在な第２リード部を他端部に少なくとも有する、（１）から（３）のいずれかに記載のＦＰＣ用コネクタ。
【００４６】
（５）  前記金属シェル及び前記金属カバーは、前記ＦＰＣ収容室を電磁遮蔽している、（１）から（４）のいずれかに記載のＦＰＣ用コネクタ。
【発明の効果】
【００４７】
本発明によるＦＰＣ用コネクタは、ハウジングの凹部を開閉自在な主面板を有する金属カバーを備え、金属カバーは、相反する向きに突出する一対の円筒状の回動軸を有し、これらの回動軸は、ハウジングの厚さを超えることなく、ハウジングの厚さ方向の略中間部に支持されているので、ＦＰＣ用コネクタを低背化できる。
【図面の簡単な説明】
【００４８】
【図１】本発明の一実施形態によるＦＰＣ用コネクタの構成を示す斜視図であり、ＦＰＣ用コネクタを正面側から観た状態図である。
【図２】前記実施形態によるＦＰＣ用コネクタの構成を示す斜視図であり、ＦＰＣ用コネクタを背面側から観た状態図である。
【図３】前記実施形態によるＦＰＣ用コネクタの構成を示す斜視分解組立図であり、ＦＰＣ用コネクタを正面側から観た状態図である。
【図４】前記実施形態によるＦＰＣ用コネクタの構成を示す斜視分解組立図であり、ＦＰＣ用コネクタを背面側から観た状態図である。
【図５】前記実施形態によるＦＰＣ用コネクタの構成を示す図であり、図５（Ａ）は、ＦＰＣ用コネクタの正面図、図５（Ｂ）は、ＦＰＣ用コネクタの平面図、図５（Ｃ）は、ＦＰＣ用コネクタの右側面図、図５（Ｄ）は、ＦＰＣ用コネクタの左側面図、図５（Ｅ）は、ＦＰＣ用コネクタの下面図である。
【図６】前記実施形態によるＦＰＣ用コネクタの構成を示す斜視図であり、ＦＰＣ用コネクタにＦＰＣを装着した状態図である。
【図７】前記実施形態によるＦＰＣ用コネクタの構成を示す縦断面図であり、図５（Ｂ）のＡ−Ａ矢視断面図である。
【図８】前記実施形態によるＦＰＣ用コネクタの構成を示す縦断面図であり、図５（Ｂ）のＢ−Ｂ矢視断面図である。
【図９】前記実施形態によるＦＰＣ用コネクタの構成を示す図であり、図９（Ａ）は、ＦＰＣ用コネクタにＦＰＣを装着した状態を示す平面図、図９（Ｂ）は、ＦＰＣ用コネクタにＦＰＣを装着した状態を示す右側面図、図９（Ｃ）は、ＦＰＣ用コネクタにＦＰＣを装着した状態を示す斜視図である。
【図１０】前記実施形態によるＦＰＣ用コネクタの構成を示す右側面図であり、図１０（Ａ）は、金属カバーを開いてＦＰＣを挿入する前の状態図、図１０（Ｂ）は、金属カバーを開いてＦＰＣを挿入した状態図、図１０（Ｃ）は、ＦＰＣを挿入して金属カバーを閉じた状態図である。
【図１１】前記実施形態によるＦＰＣ用コネクタの構成を示す縦断面図であり、図１１（Ａ）は、金属カバーを開いてＦＰＣを挿入する前の状態図、図１１（Ｂ）は、金属カバーを開いてＦＰＣを挿入した状態図、図１１（Ｃ）は、ＦＰＣを挿入して金属カバーを閉じた状態図である。
【図１２】前記実施形態によるＦＰＣ用コネクタの構成を示す縦断面図であり、図１２（Ａ）は、金属カバーを開いてＦＰＣを挿入する前の状態図、図１２（Ｂ）は、金属カバーを開いてＦＰＣを挿入した状態図、図１２（Ｃ）は、ＦＰＣを挿入して金属カバーを閉じた状態図である。
【図１３】第１の従来技術によるＦＰＣ用コネクタの構成を示す縦断面図である。
【図１４】第２の従来技術によるＦＰＣ用コネクタの構成を示す斜視図であり、ＦＰＣを挿入する前の状態図である。
【図１５】第２の従来技術によるＦＰＣ用コネクタに備わるシェルの構成を示す斜視図である。
【図１６】第３の従来技術によるＦＰＣ用コネクタの構成を示す縦断面図である。
【図１７】第３の従来技術によるＦＰＣ用コネクタの構成を示す斜視図であり、ＦＰＣを挿入した直後の状態図である。
【図１８】第３の従来技術によるＦＰＣ用コネクタの構成を示す斜視図であり、カバーハウジングを開いた状態図である。
【図１９】第３の従来技術によるＦＰＣ用コネクタの構成を示す斜視図であり、ＦＰＣを挿入して、カバーハウジングを閉じた状態図である。
【発明を実施するための形態】
【００４９】
以下、図面を参照して本発明を実施するための形態を説明する。
［ＦＰＣ用コネクタの構成］
最初に、本発明の一実施形態によるＦＰＣ用コネクタの構成を説明する。
【００５０】
図１は、本発明の一実施形態によるＦＰＣ用コネクタの構成を示す斜視図であり、ＦＰＣ用コネクタを正面側から観た状態図である。図２は、前記実施形態によるＦＰＣ用コネクタの構成を示す斜視図であり、ＦＰＣ用コネクタを背面側から観た状態図である。
【００５１】
図３は、前記実施形態によるＦＰＣ用コネクタの構成を示す斜視分解組立図であり、ＦＰＣ用コネクタを正面側から観た状態図である。図４は、前記実施形態によるＦＰＣ用コネクタの構成を示す斜視分解組立図であり、ＦＰＣ用コネクタを背面側から観た状態図である。
【００５２】
図５は、前記実施形態によるＦＰＣ用コネクタの構成を示す図であり、図５（Ａ）は、ＦＰＣ用コネクタの正面図、図５（Ｂ）は、ＦＰＣ用コネクタの平面図、図５（Ｃ）は、ＦＰＣ用コネクタの右側面図、図５（Ｄ）は、ＦＰＣ用コネクタの左側面図、図５（Ｅ）は、ＦＰＣ用コネクタの下面図である。
【００５３】
図６は、前記実施形態によるＦＰＣ用コネクタの構成を示す斜視図であり、ＦＰＣ用コネクタにＦＰＣを装着した状態図である。図７は、前記実施形態によるＦＰＣ用コネクタの構成を示す縦断面図であり、図５（Ｂ）のＡ−Ａ矢視断面図である。
【００５４】
図８は、前記実施形態によるＦＰＣ用コネクタの構成を示す縦断面図であり、図５（Ｂ）のＢ−Ｂ矢視断面図である。
【００５５】
（全体構成）
図１から図８を参照すると、本発明の一実施形態によるＦＰＣ用コネクタ（以下、コネクタと略称する）１０は、平板状のハウジング１と複数のコンタクト２を備えている。又、コネクタ１０は、金属シェル３と金属カバー４を備えている。
【００５６】
図１から図８を参照すると、ハウジング１は、ＦＰＣ収容室１１を内部に有している。ＦＰＣ収容室１１は、ＦＰＣ１ｆを挿入自在に、ハウジング１の一方の端部を開口している。又、ハウジング１は、ＦＰＣ収容室１１に向かって窪んだ凹部１２を上面に有している（図３又は図４参照）。
【００５７】
図３又は図４及び図８を参照すると、複数のコンタクト２は、ハウジング１のＦＰＣ収容室１１の内部に配列されている。そして、複数のコンタクト２は、ＦＰＣ１ｆと電気的に接続できる。
【００５８】
図１から図４及び図７又は図８を参照すると、金属シェル３は、その断面を略Ｕ字状に形成している。又、金属シェル３は、上面板３１と下面板３２を有している。上面板３１は、ハウジング１の他方の端部の上面を部分的に覆っている。下面板３２は、ハウジング１の底面を覆っている。
【００５９】
図１から図４及び図７又は図８を参照すると、金属カバー４は、略矩形の主面板４１を有している。主面板４１は、ハウジング１の凹部１２を開閉できる。又、主面板４１は、重ね板４１１を一方の端部に有している。重ね板４１１は、主面板４１の長手方向に沿って密着曲げしている。
【００６０】
図１から図５を参照すると、金属カバー４は、一対の円筒状の回動軸４１ｓ・４１ｓを有している。これらの回動軸４１ｓ・４１ｓは、主面板４１の他方の端部に配置されている。又、これらの回動軸４１ｓ・４１ｓは、相反する向きに突出している。
【００６１】
図１から図５を参照すると、下面板３２は、一対の支持片３２ｓ・３２ｓを両側部に有している。これらの支持片３２ｓ・３２ｓは、一対の回動軸４１ｓ・４１ｓを回動自在に支持している。
【００６２】
図１又は図２及び図５を参照すると、一対の回動軸４１ｓ・４１ｓは、ハウジング１の厚さを超えることなく、ハウジング１の厚さ方向の略中間部に支持されている。
【００６３】
図１から図８を参照すると、実施形態によるコネクタ１０は、ハウジング１の凹部１２を開閉自在な主面板４１を有する金属カバー４を備え、金属カバー４は、相反する向きに突出する一対の円筒状の回動軸４１ｓ・４１ｓを有し、これらの回動軸４１ｓ・４１ｓは、ハウジング１の厚さを超えることなく、ハウジング１の厚さ方向の略中間部に支持されているので、ハウジング１の凹部１２の中央部を撓ませることなく、コネクタ１０を低背化できる。
【００６４】
（ハウジングの構成）
次に、実施形態によるハウジング１の構成を説明する。図１から図８を参照すると、ハウジング１は、絶縁性を有している。非導電性の材料からなる合成樹脂を成形して、所望の形状の絶縁性のハウジング１を得ることができる。
【００６５】
図３又は図４を参照すると、ハウジング１は、一対の厚肉部１ｔ・１ｔと略矩形の切り欠き部１ｃを有している。一対の厚肉部１ｔ・１ｔは、ＦＰＣ収容室１１の開口１１ｋの両端部を囲っている。切り欠き部１ｃは、ＦＰＣ収容室１１の開口１１ｋの前縁から逃げている。なお、一対の厚肉部１ｔ・１ｔ及び切り欠き部１ｃの作用は、後述する。
【００６６】
又、図３又は図４を参照すると、ハウジング１は、一対の矩形の穴部１ｈ・１ｈとＵ字状に穿設された一対の軸受部１ｕ・１ｕを有している。これらの一対の穴部１ｈ・１ｈ及び軸受部１ｕ・１ｕは、ハウジング１の両端部に形成している。
【００６７】
図３又は図４を参照すると、一対の穴部１ｈ・１ｈには、金属カバー４の両端部に形成した一対のＵ字状のばね片４１ｕ・４１ｕを導入できる。一対の軸受部１ｕ・１ｕは、一対の回動軸４１ｓ・４１ｓを支持できる。
【００６８】
（コンタクトの構成）
次に、実施形態によるコンタクト２の構成を説明する。図３又は図４及び図８を参照すると、コンタクト２は、導電性を有している。導電性の金属板を打ち抜き加工して、所望の形状の導電性のコンタクト２を得ることができる。コンタクト２は、加工の容易性や、ばね特性、導電性などを考慮すれば、例えば、銅合金が好ましく用いられるが、銅合金に限定されない。
【００６９】
図３又は図４及び図８を参照すると、コンタクト２は、その基端部がハウジング１に片持ち支持されている（図８参照）。又、コンタクト２は、その先端部をＦＰＣ収容室１１の内部に配置している。そして、コンタクト２は、その先端部に接点２ｓを有している。接点２ｓは、ＦＰＣ１ｆの導体パターン１１ｆに接触できる（図１又は図２参照）。
【００７０】
又、図３又は図４及び図８を参照すると、コンタクト２は、第１リード部２ｒを基端部に有している。第１リード部２ｒは、プリント基板８ｐの一方の面８１ｐにハンダ接合できる（図１又は図２参照）。つまり、実施形態によるコネクタ１０は、プリント基板に表面実装できる表面実装型コネクタである。
【００７１】
（金属シェルの構成）
次に、実施形態による金属シェル３の構成を説明する。図３又は図４を参照すると、金属シェル３は、導電性を有している。導電性を有する金属製の展開板を打ち抜き加工又は折り曲げ加工して、所望の形状の導電性の金属シェル３を得ることができる。
【００７２】
図１又は図２を参照して、金属シェル３がハウジング１の他方の端部の上面、及び、ハウジング１の底面を覆うことで、ＦＰＣ収容室１１を電磁遮蔽できる。又、金属カバー４の主面板４１がハウジング１の凹部１２を閉じた状態では、ＦＰＣ収容室１１を電磁遮蔽できる。これにより、コンタクト２から電磁波が漏洩しないように、又は、コンタクト２に不要な電磁波を誘導しないように、ＦＰＣ収容室１１をシールドできる。
【００７３】
図１から図５を参照すると、一対の支持片３２ｓ・３２ｓは、第２リード部３２ｒを他端部に有している。これらの第２リード部３２ｒ・３２ｒは、プリント基板８ｐの一方の面８１ｐにハンダ接合できる（図１又は図２参照）。これにより、コネクタ１０のハンダ接合強度を補強できる。
【００７４】
又、図１から図５を参照すると、下面板３２は、三つの第３リード部３３ｒを先端部から突出している。これらの第３リード部３３ｒは、プリント基板８ｐの一方の面８１ｐにハンダ接合できる（図１又は図２参照）。これにより、コネクタ１０のハンダ接合強度を補強できる。
【００７５】
図３又は図４及び図５（Ｅ）又は図８を参照すると、下面板３２は、三つの板ばね片３２１を有している。板ばね片３２１は、下面板３２に片持ち支持されている。ＦＰＣ１ｆをＦＰＣ収容室１１に挿入した状態では、三つの板ばね片３２１は、コンタクト２の接点２ｓに向けて、ＦＰＣ１ｆを押圧できる。
【００７６】
図３又は図７を参照すると、下面板３２は、基端部に向かってＵ字状に反転した一対の反転片３２２・３２２を両端部に有している。図７又は図１１（Ｃ）を参照して、金属カバー４の主面板４１がハウジング１の凹部１２を閉じた状態では、一対の反転片３２２・３２２は、下面板３２から離間している。
【００７７】
一方、図１１（Ａ）又は図１１（Ｂ）を参照して、金属カバー４の主面板４１がハウジング１の凹部１２を開いた状態では、一対のばね片４１ｕ・４１ｕの隅部が一対の反転片３２２・３２２を押圧して、一対の反転片３２２・３２２を下面板３２に向かって変位できる。
【００７８】
図３又は図７を参照すると、反転片３２２は、抜け止め用の台形台状のランス３２ａを先端部に有している。ランス３２ａは、反転片３２２の先端に向かって上り傾斜している。又、ランス３２ａの側壁３１ａは、反転片３２２と連続しており、ランス３２ａの撓み強度を補強している。
【００７９】
一方、図１又は図２を参照すると、ＦＰＣ１ｆは、一対の凹部１２ｆ・１２ｆを端末の両側部に有している。図１２（Ａ）又は図１２（Ｂ）を参照して、金属カバー４の主面板４１がハウジング１の凹部１２を開いた状態では、一対のばね片４１ｕ・４１ｕが一対の反転片３２２・３２２の隅部に押圧されて、一対のランス３２ａ・３２ａは、下面板３２に向かって変位している。
【００８０】
図１２（Ｂ）に示した状態では、ＦＰＣ１ｆは、一対のランス３２ａ・３２ａを通過して、ＦＰＣ収容室１１に挿入できる。図１２（Ｂ）に示した状態から図１２（Ｃ）に示すように、金属カバー４の主面板４１がハウジング１の凹部１２を閉じた状態では、一対のランス３２ａ・３２ａが弾性復帰して、一対の凹部１２ｆ・１２ｆに係止できる（図１又は図２参照）。そして、コネクタ１０に対して、ＦＰＣ１ｆを抜け止めできる。
【００８１】
（金属カバーの構成）
次に、実施形態による金属カバー４の構成を説明する。図３又は図４を参照すると、金属カバー４は、導電性を有している。導電性を有する金属製の展開板を打ち抜き加工又は折り曲げ加工して、所望の形状の導電性の金属カバー４を得ることができる。
【００８２】
図３又は図４を参照して、主面板４１は、ハウジング１の凹部１２の深さ程度の板厚を有することが好ましく、主面板４１がハウジング１の凹部１２を閉じた状態では、ハウジング１の上面と主面板４１の上面が面一になることが好ましい。
【００８３】
図３又は図４を参照して、一対の回動軸４１ｓ・４１ｓは、前述した展開板の一部を円筒状に成形することが好ましく、金属カバー４を生産性よく製造できる。しかし、円筒状の回動軸４１ｓを金属カバー４の両端部に溶接などで接合することを排除しない。
【００８４】
図３又は図４を参照して、主面板４１は、密着曲げした重ね板４１１を一方の端部に有しているので、重ね板４１１の部位は、板厚が２倍になっている。そして、曲げ強度は、板厚の３乗に比例するので、重ね板４１１の曲げ強度は、主面板４１の曲げ強度の８倍になっている。
【００８５】
［ＦＰＣ用コネクタの作用］
次に、実施形態によるコネクタ１０の動作を説明しながら、コネクタ１０の作用及び効果を説明する。
【００８６】
図９は、前記実施形態によるＦＰＣ用コネクタの構成を示す図であり、図９（Ａ）は、ＦＰＣ用コネクタにＦＰＣを装着した状態を示す平面図、図９（Ｂ）は、ＦＰＣ用コネクタにＦＰＣを装着した状態を示す右側面図、図９（Ｃ）は、ＦＰＣ用コネクタにＦＰＣを装着した状態を示す斜視図である。
【００８７】
図１０は、前記実施形態によるＦＰＣ用コネクタの構成を示す右側面図であり、図１０（Ａ）は、金属カバーを開いてＦＰＣを挿入する前の状態図、図１０（Ｂ）は、金属カバーを開いてＦＰＣを挿入した状態図、図１０（Ｃ）は、ＦＰＣを挿入して金属カバーを閉じた状態図である。
【００８８】
図１１は、前記実施形態によるＦＰＣ用コネクタの構成を示す縦断面図であり、図１１（Ａ）は、金属カバーを開いてＦＰＣを挿入する前の状態図、図１１（Ｂ）は、金属カバーを開いてＦＰＣを挿入した状態図、図１１（Ｃ）は、ＦＰＣを挿入して金属カバーを閉じた状態図である。
【００８９】
図１２は、前記実施形態によるＦＰＣ用コネクタの構成を示す縦断面図であり、図１２（Ａ）は、金属カバーを開いてＦＰＣを挿入する前の状態図、図１２（Ｂ）は、金属カバーを開いてＦＰＣを挿入した状態図、図１２（Ｃ）は、ＦＰＣを挿入して金属カバーを閉じた状態図である。
【００９０】
図１又は図２を参照して、プリント基板８ｐの一方の面８１ｐと略平行な水平方向から、ＦＰＣ１ｆの端末をコネクタ１０の開口１１ｋに挿入することで、複数のコンタクト２を介して、ＦＰＣ１ｆの端末に露出された導体パターン１１ｆとプリント基板８ｐのパターンを電気的に接続できる。実施形態によるコネクタ１０は、「水平取付形コネクタ」ということもできる。
【００９１】
図１０（Ａ）又は図１１（Ａ）を参照して、金属カバー４の主面板４１がハウジング１の凹部１２を開いた状態では、一対のばね片４１ｕ・４１ｕが一対の反転片３２２・３２２の隅部に押圧されて、一対のランス３２ａ・３２ａは、下面板３２に向かって変位している。
【００９２】
又、図１２（Ａ）を参照して、金属カバー４の主面板４１がハウジング１の凹部１２を開いた状態では、一対のばね片４１ｕ・４１ｕが一対の反転片３２２・３２２の隅部に押圧されて、一対のランス３２ａ・３２ａは、下面板３２に向かって変位している。
【００９３】
図１１（Ａ）又は図１２（Ａ）に示すように、金属カバー４を開いた状態では、ＦＰＣ収容室１１の開口１１ｋに向かって（図１参照）、ＦＰＣ１ｆをＦＰＣ収容室１１に挿入できる。図８を参照して、コンタクト２の接点２ｓとＦＰＣ収容室１１の底面とは、ＦＰＣ１ｆの厚さ未満に離反している。そして、実施形態によるコネクタ１０は、ＦＰＣ１ｆの厚みを利用して、ＦＰＣ１ｆを挿抜できることから、いわゆる、ＮＯＮ−ＺＩＦ（Ｚｅｒｏ  Ｉｎｓｅｒｔｉｏｎ  Ｆｏｒｃｅ）タイプのＦＰＣ用コネクタを構成している。
【００９４】
図１１（Ｂ）又は図１２（Ｂ）に示すように、ＦＰＣ１ｆの端末をＦＰＣ収容室１１に挿入した状態では、コンタクト２の接点２ｓは、ＦＰＣ１ｆの導体パターン１１ｆに接触できる（図１又は図８参照）。
【００９５】
図１１（Ｂ）又は図１２（Ｂ）に示した状態では、複数のコンタクト２の接点２ｓは、ＦＰＣ１ｆの幅方向に沿って、等分布荷重を付勢している。しかし、複数のコンタクト２の先端部は、ハウジング１の上面で押さえられているので、複数の接点２ｓの反力で、ハウジング１の凹部１２の中央部が撓む心配がある。つまり、複数の接点２ｓは、それらの中央部の接触力が不足する心配がある。
【００９６】
図１１（Ｃ）又は図１２（Ｃ）に示すように、金属カバー４の主面板４１がハウジング１の凹部１２を閉じた状態では、凹部１２を主面板４１で押さえているので、ハウジング１の凹部１２の中央部が撓む心配が無くなる。つまり、複数の接点２ｓは、略均一の接触力でＦＰＣ１ｆの導体パターン１１ｆに接触できる。
【００９７】
このように、実施形態によるコネクタ１０は、特許文献１によるコネクタ７と異なり（図１３参照）、コネクタ１０を低背化して、ハウジング１の中央部の撓みを抑制している。又、実施形態によるコネクタ１０は、特許文献２によるコネクタ８と異なり（図１４又は図１５参照）、ＦＰＣの着脱が容易であるという利点がある。
【００９８】
更に、実施形態によるコネクタ１０は、図１２（Ｃ）に示すように、金属カバー４の主面板４１がハウジング１の凹部１２を閉じた状態では、一対のランス３２ａ・３２ａが弾性復帰して、一対の凹部１２ｆ・１２ｆに係止でき（図１又は図２参照）、コネクタ１０に対して、ＦＰＣ１ｆを抜け止めできるという利点もある。
【００９９】
又、図９を参照すると、実施形態によるコネクタ１０は、一対の厚肉部１ｔ・１ｔでＦＰＣ１ｆの両側部を囲っているので、ＦＰＣ１ｆを上方に引き回したときに、応力が集中する開口１１ｋの両端部の破損を防止できる（図１参照）。又、ＦＰＣ１ｆを上方に引き回したときに、ＦＰＣ１ｆが膨らむので、開口１１ｋの前縁から逃げる略矩形の切り欠き部１ｃを設けることで、開口１１ｋの両端部の破損を防止できる（図３参照）。
【０１００】
このように、実施形態によるコネクタ１０は、特許文献３によるコネクタ９と異なり（図１６から図１９参照）、部品点数を増やすことなく、かつ、手などを傷つけることなく、ＦＰＣの引き回しに起因するハウジングの破損を防止できるという利点がある。
【０１０１】
図１０（Ｃ）又は図１１（Ｃ）及び図１２（Ｃ）に示した状態から、重ね板４１１を把持して、主面板４１を時計方向に回動することで、一対の反転片３２２・３２２を下面板３２に向かって変位できる（図１２（Ｂ）参照）。そして、コネクタ１０からＦＰＣ１ｆを引き抜くことができる。
【符号の説明】
【０１０２】
１  ハウジング
１ｆ  ＦＰＣ
２  コンタクト
３  ハウジング
３  金属シェル
４  金属カバー
１０  コネクタ（ＦＰＣ用コネクタ）
１１  ＦＰＣ収容室
１２  凹部
３１  上面板
３２  下面板
３２ｓ・３２ｓ  一対の支持片
４１  主面板
４１ｓ・４１ｓ  一対の回動軸
４１１  重ね板
【図１】
0006566877.tif 000002
【図２】
0006566877.tif 000003
【図３】
0006566877.tif 000004
【図４】
0006566877.tif 000005
【図５】
0006566877.tif 000006
【図６】
0006566877.tif 000007
【図７】
0006566877.tif 000008
【図８】
0006566877.tif 000009
【図９】
0006566877.tif 000010
【図１０】
0006566877.tif 000011
【図１１】
0006566877.tif 000012
【図１２】
0006566877.tif 000013
【図１３】
0006566877.tif 000014
【図１４】
0006566877.tif 000015
【図１５】
0006566877.tif 000016
【図１６】
0006566877.tif 000017
【図１７】
0006566877.tif 000018
【図１８】
0006566877.tif 000019
【図１９】
0006566877.tif 000020